(57)【要約】【課題】ケーブルの布設場所を問わず短時間で容易に着脱可能で、ケーブル端末部におけるケーブル端部のシースの収縮を確実に防止してシースのずれを起こすのを防ぐことができるケーブルのシースずれ止め装置及びケーブルのシースずれ止め方法を提供する。【解決手段】線状体１１をジグザグ形状に折り曲げ加工して、ケーブル１を支持する２つの支持部１３と、ケーブル１に外側から圧力を加える２つの押付部１５とを形成し、線状体１１の一方の支持部１３の両側２箇所に、金具３に取り付ける把持用紐１７を止め具１９で固定する。【選択図】      図１
2006115668.tif 000002
【特許請求の範囲】
【請求項１】
シースを設けたケーブルの長手方向に対して所定の間隔で水平方向に配置してケーブルを支持する複数の支持部と、前記支持部間の所定の間隔内でケーブルに外側から圧力を加えて曲げ変形を与える押付部とを線状体もしくは棒状体により形成したことを特徴とするケーブルのシースずれ止め装置。
【請求項２】
線状体をジグザグ形状に折り曲げ加工してケーブルを支持する２つの支持部と、ケーブルに外側から圧力を加える２つの押付部とを形成したことを特徴とする請求項１記載のケーブルのシースずれ止め装置。
【請求項３】
線状体を矩形状に成形加工して形成したケーブルを支持する２つの支持部と、その２つの支持部の中央に棒状体を装着して形成した、ケーブルに外側から圧力を加える１つの押付部とを備えることを特徴とする請求項１記載のケーブルのシースずれ止め装置。
【請求項４】
線状体をＳ字形状に折り曲げ加工してケーブルを支持する２つの支持部と、ケーブルに外側から圧力を加える１つの押付部とを形成したことを特徴とする請求項１記載のケーブルのシースずれ止め装置。
【請求項５】
線状体をＥ字形状に成形加工してケーブルを支持する２つの支持部と、ケーブルに外側から圧力を加える１つの押付部とを形成したことを特徴とする請求項１記載のケーブルのシースずれ止め装置。
【請求項６】
シースを設けたケーブルの長手方向に対して所定の間隔で水平方向にケーブルを支持すると共に、前記所定の間隔内でケーブルに外側から圧力を加えて曲げ変形を与えることによりケーブルのシースずれを防止することを特徴とするケーブルのシースずれ止め方法。
【発明の詳細な説明】
【技術分野】
【０００１】
本発明は、直接日射やヒートサイクル等によりケーブルが温度上昇してケーブルの残留応力が解放されても、シースが長手方向に収縮してずれるのを防止できるケーブルのシースずれ止め装置及びケーブルのシースずれ止め方法に関するものである。
【背景技術】
【０００２】
図５に、従来のケーブル終端接続部の構造例を示す。
このケーブル終端接続部は、ケーブル５１の最外層を形成するシース５２を剥ぎ取った遮蔽銅テープ５３のシース５２側部分に接地線５５を接続すると共に、遮蔽銅テープ５３の内側には外部半導電層５４を設け、遮蔽銅テープ５３から端末本体（ゴムモールド成形体）５６の下端に至る部分に半導電性融着テープ５７を巻き、さらに透水防止のために、シース５２の端部外周と端末本体５６とにわたって粘着性ポリエチレンテープなどの絶縁テープ５９を巻き付けたものである（特許文献１参照）。
【０００３】
このケーブル終端接続部においては、端末処理の際に巻き付ける絶縁テープ５９がケーブル端部のシース５２を拘束している。しかし、この絶縁テープ５９によるシース拘束力のみでは外気温度の変化や通電ヒートサイクル等によってシース５２に収縮（シュリンクバック）が生じた時に十分対抗することができず、シース５２が絶縁テープ５９から外れることがある。また、絶縁テープ５９がシース５２とともに引っ張られて端末本体５６から外れたりしてケーブル心が露出し、さらには遮蔽銅テープ５３が破断する場合もある。遮蔽銅テープ５３が破断すると、切断箇所では充電電流が外部半導電層５４に流れ、局部発熱により絶縁体の炭化が進んで絶縁破壊に至る事故を引き起こすことも考えられる。
【０００４】
かかる不都合を防止するため、これまで以下の（１）〜（４）のような対策が講じられてきた。
（１）アルミニウム製スプリング式クリート等を用いてケーブルを拘束する。
（２）ブラケット外周にシースのシース片を接着してシースストッパーを設ける。
（３）ケーブル終端接続部のケーブル端部側のテープ巻部に収縮チューブを被せる。
（４）ケーブルに鋼線を螺旋形状に巻き付けて拘束する。
【特許文献１】特開平１０−１４５９２９号公報
【発明の開示】
【発明が解決しようとする課題】
【０００５】
しかしながら、（１）のアルミニウム製スプリング式クリートは高価であり、クリート全体の重量が大きく、据付とボルト締め作業などで取付けに時間を要する。
また、（２）のシースストッパーを設ける方法も、取り付けに時間を要し、シース片を接着剤等でシースに接合しているため取り除くことが困難である。
更に、（３）ケーブル端部側のテープ巻部に収縮チューブを被せる方法は、収縮工具が必要となり簡単に取り付けることができない。しかも、ケーブル終端接続部で気中式のものは高所に設置されることが多いことから、作業が大変困難である。
一方、（４）の鋼線などを螺旋状にケーブルに巻き付ける方式では、螺旋伏に巻き付ける内径寸法がケーブル外形に密着して効果を発揮することから、鋼線には予めケーブル外形と密着するような内径寸法の形状となるよう螺旋状が施されている。このため、鋼線はケーブルサイズに限定され、他のサイズを包含するためには、数種類の異なった内径寸法の物を用意する必要が生じ、不経済である。
【０００６】
従って、本発明の目的は、上記課題を解決し、廉価でケーブルの布設場所を問わず短時間で容易に着脱可能で、ケーブル端末部におけるケーブル端部のシースの収縮を確実に防止してシースのずれを起こさないケーブルのシースずれ止め装置及びケーブルのシースずれ止め方法を提供することにある。
【課題を解決するための手段】
【０００７】
上記目的を達成するため、本発明に係るケーブルのシースずれ止め装置は、シースを設けたケーブルの長手方向に対して所定の間隔で水平方向に配置してケーブルを支持する複数の支持部と、前記支持部間の所定の間隔内でケーブルに外側から圧力を加えて曲げ変形を与える押付部とを線状体もしくは棒状体により形成したことを特徴とする。
前記支持部と前記押付部については、線状体をジグザグ形状に折り曲げ加工したり、線状体により矩形状に成形加工して中央に棒状体を装着したり、線状体をＳ字形状に折り曲げ加工したり、線状体をＥ字形状に成形加工したりして形成できる。
【０００８】
また、上記目的を達成するため、本発明に係るケーブルのシースずれ止め方法は、シースを設けたケーブルの長手方向に対して所定の間隔で水平方向にケーブルを支持すると共に、前記所定の間隔内でケーブルに外側から圧力を加えて曲げ変形を与えることによりケーブルのシースずれを防止することを特徴とする。
【発明の効果】
【０００９】
本発明のケーブルのシースずれ止め装置によれば、ケーブル端末部におけるケーブル端部のシースの収縮を確実に防止してシースのずれを起こすのを防ぐことができる。しかも廉価であり、ケーブルの布設場所を問わず短時間で容易に着脱することができる。
また、本発明のケーブルのシースずれ止め方法においても、ケーブル端末部におけるケーブル端部のシースの収縮を確実に防止してシースのずれを起こすのを防ぐことができる。
【発明を実施するための最良の形態】
【００１０】
以下に、本発明の実施の形態について図面を参照しながら説明する。
【００１１】
［第１の実施の形態］
図１に、本発明に係るケーブルのシースずれ止め装置の第１の実施形態を示す。
このケーブルのシースずれ止め装置１０は、１本の線状体１１をジグザグ形状に折り曲げ加工して、両側にケーブル１を支持する２つの支持部１３と、２つの支持部１３と並行であり、かつ中央付近にケーブル１に外側から圧力を加えることができる間隔を置いた２つの押付部１５とを形成し、線状体１１の一方の支持部１３の両側２箇所に把持用紐１７を止め具１９で固定したものである。
【００１２】
線状体１１は、金属、プラスチック等で形成されたケーブルと同等以上の堅さ、強度、耐候性、及び耐久性を有していることが好ましく、具体的には、鋼線、ピアノ線、金属棒、ガラス繊維や炭素繊維などが補強材として埋め込まれた合成樹脂複合材料のＦＲＰ（繊維強化プラスチック）等により形成する。更に、線状体１１においてケーブルのシースと接する接点箇所は、シース同士と同等以上の摩擦係数が生じる材料で形成するか、もしくはケーブルシースと接触する線状体１１の表面に、シース同士と同等以上の摩擦係数が生じる材料を表面処理することが好ましい。具体的には、ポリ塩化ビニル、ポリエチレン、エチレンプロピレンゴム等を鋼線等にディッピング成形にて表面を覆う方法がある。
【００１３】
このケーブルのシースずれ止め装置１０をケーブルに取付けるには、図１に示すように、シースを設けたケーブル１の長手方向に対して２つの支持部１３を水平方向に、かつ図１（ａ）上でケーブル１の下部に配置すると共に、ケーブル１の上部から圧力を加えシースを押し付けるように２つの押付部１５を配置し装着する。次に、把持用紐１７を金具３に取り付け固定する。把持用紐１７には、想定されるケーブル１の自重および環境による腐食等で容易に切断することが無いもの、例えば、金属線等により形成する。
【００１４】
このようにして、ケーブルのシースずれ止め装置１０をケーブル１に装着し、把持用紐１７により金具３に掛けたり結んだりすることで、ケーブルのシースずれ止め装置１０を金具３に固定できる。金具３はケーブル布設近傍の設備に固定される。
【００１５】
次に、このケーブルのシースずれ止め装置１０によるシース収縮防止作用について説明する。
まず、このケーブルのシースずれ止め装置１０を装着していない状態では、ケーブルのシースとその内部のコアとの間はわずかな隙間が生じているため、単心ケーブルを垂直に立ち上がるように布設した場合にシースの残留応力の解放によって収縮力が生じてシースが簡単に縮み、ケーブルの長手方向へずれを起こしてケーブル端部においてコアが露出してしまう。
【００１６】
しかし、このケーブルのシースずれ止め装置１０をケーブル１に装着し、２箇所の支持部１３によりケーブル１を支持しつつ、２箇所の押付部１５によりケーブル１の上部に押圧を加えることにより、単心ケーブルが垂直に立ち上がったような布設条件でもケーブル１に僅かな曲げを常時与えることができる。この結果、ケーブル１の垂直方向の自重によって、線状体１１の２つの支持部１３と２つの押付部１５とが接する部分に側圧が起き、ケーブル１内部のコアとシースがお互いに押し合う密接な状態となってその間に摩擦力が生じ、ケーブルのシースの残留応力の解放を阻止してシースの動きを封じることができ、ケーブルの長手方向へずれることがなく、ケーブル端部のコアの露出がない。
【００１７】
従って、このケーブルのシースずれ止め装置１０を用いたケーブルのシースずれ止め方法では、シースを設けたケーブル１の長手方向に対して所定の間隔で水平方向にケーブル１を支持すると共に、所定の間隔内でケーブル１に外側から圧力を加えて曲げ変形を与えることにより、ケーブル１のシースずれを防止することができる。
なお、ケーブル１に与える曲げの範囲は、想定されるケーブル１の自重が支持部１３と押付部１５に側圧として生じてもケーブル１内部のコアが変形せず、且つケーブル１に電流が流れてコアの温度が上昇してもコアが変形しない範囲とする。
【００１８】
ケーブルのシースずれ止め装置１０によれば、以下の効果を奏することが可能である。
（１）ケーブル端末部におけるケーブル端部のシースの収縮を確実に防止することができる。
（２）線状体１１をジグザグ状に加工した簡易な構成であり、廉価である。
（３）ケーブル１の布設場所を問わずに、短時間で容易に取り付け、取り外しが可能である。
【００１９】
［第２の実施の形態］
図２に、本発明に係るケーブルのシースずれ止め装置の第２の実施の形態を示す。
このケーブルのシースずれ止め装置２０は、１本の線条体を成形加工した矩形体２１の両側にケーブル１を支持する２つの支持部２３を形成し、２つの支持部２３と並行であり、かつ中央にケーブル１に外側から圧力を加えることができる棒状体２２を置いて１つの押付部２５を形成し、棒状体２２の両側２箇所に孔を開け、金具３に取り付ける把持用紐２７を固定したものである。
このケーブルのシースずれ止め装置２０をケーブルに取付けるには、図２に示すように、シースを設けたケーブル１の長手方向に対して２つの支持部２３を水平方向に、かつ図２上でケーブル１の下部に配置すると共に、ケーブル１の上部から圧力を加えシースを押し付けるように１つの押付部２５を配置し装着する。次に、把持用紐２７を金具３に取り付け固定する。
このようにして、ケーブルのシースずれ止め装置２０をケーブル１に装着し、把持用紐２７により金具３に掛けたり結んだりすることで、ケーブルのシースずれ止め装置２０を金具３に固定できる。
【００２０】
［第３の実施の形態］
図３に、本発明に係るケーブルのシースずれ止め装置の第３の実施形態を示す。
このケーブルのシースずれ止め装置３０は、１本の線状体３１をＳ字形状に折り曲げ加工して、両側にケーブル１を支持する２つの支持部３３と、２つの支持部３３と並行であり、かつ中央にケーブル１に外側から圧力を加えることができる１つの押付部３５とを形成し、線状体３１の一方の支持部３３の両側２箇所に、金具３に取り付ける把持用紐３７を止め具３９で固定したものである。
このケーブルのシースずれ止め装置３０をケーブルに取付けるには、図３に示すように、シースを設けたケーブル１の長手方向に対して２つの支持部３３を水平方向に、かつ図３上でケーブル１の下部に配置すると共に、ケーブル１の上部から圧力を加えシースを押し付けるように１つの押付部３５を配置し装着する。次に、把持用紐３７を金具３に取り付け固定する。
このようにして、ケーブルのシースずれ止め装置３０をケーブル１に装着し、把持用紐３７により金具３に掛けたり結んだりすることで、ケーブルのシースずれ止め装置３０を金具３に固定できる。
【００２１】
［第４の実施の形態］
図４に、本発明に係るケーブルのシースずれ止め装置の第４の実施形態を示す。
このケーブルのシースずれ止め装置４０は、１本の線状体４１をＥ字形状に成形加工して、両側にケーブル１を支持する２つの支持部４３と、２つの支持部４３と並行であり、かつ中央にケーブル１に外側から圧力を加える１つの押付部４５とを形成し、線状体４１の一方の支持部４３の両側２箇所に孔を開け、金具３に取り付ける把持用紐４７を固定したものである。
このケーブルのシースずれ止め装置４０をケーブルに取付けるには、図４に示すように、シースを設けたケーブル１の長手方向に対して２つの支持部４３を水平方向に、かつ図４上でケーブル１の下部に配置すると共に、ケーブル１の上部から圧力を加えシースを押し付けるように１つの押付部４５を配置し装着する。次に、把持用紐４７を金具３に取り付け固定する。
このようにして、ケーブルのシースずれ止め装置４０をケーブル１に装着し、把持用紐４７により金具３に掛けたり結んだりすることで、ケーブルのシースずれ止め装置４０を金具３に固定できる。
【００２２】
第２〜第４の実施の形態のケーブルのシースずれ止め装置においても、第１の実施の形態のケーブルのシースずれ止め装置１０と同様の作用・効果を奏することができる。
【図面の簡単な説明】
【００２３】
【図１】本発明に係るケーブルのシースずれ止め装置の第１の実施の形態を示す図であり、（ａ）は正面図、（ｂ）は側面図である。
【図２】本発明に係るケーブルのシースずれ止め装置の第２の実施の形態を示す正面図である。
【図３】本発明に係るケーブルのシースずれ止め装置の第３の実施の形態を示す正面図である。
【図４】本発明に係るケーブルのシースずれ止め装置の第４の実施の形態を示す正面図である。
【図５】従来のケーブル終端接続部を示す断面図である。
【符号の説明】
【００２４】
１  ケーブル
３  金具
１０  シースずれ止め装置
１１  線状体
１３  支持部
１５  押付部
１７  把持用紐
１９  止め具
２０  シースずれ止め装置
２１  矩形体
２２  棒状体
２３  支持部
２５  押付部
２７  把持用紐
３０  シースずれ止め装置
３１  線状体
３３  支持部
３５  押付部
３７  把持用紐
３９  止め具
４０  シースずれ止め装置
４１  線状体
４３  支持部
４５  押付部
４７  把持用紐
５１  ケーブル
５２  シース
５３  遮蔽銅テープ
５４  外部半導電層
５５  接地線
５６  端末本体
５７  半導電性融着テープ
５９  絶縁テープ
【図１】
2006115668.tif 000003
【図２】
2006115668.tif 000004
【図３】
2006115668.tif 000005
【図４】
2006115668.tif 000006
【図５】
2006115668.tif 000007